(57)【要約】【課題】通常のスピーカシステムによって出力再生される音楽よりも、臨場感が得られるスピーカシステムを提供する。【解決手段】市販あるいは専用ソフトウエア５を使用し、増幅器Ｌ，Ｒを介して、バイオリン楽器スピーカ２、チェロ楽器スピーカ３から音響を発生する。バイオリン楽器スピーカ２、チェロ楽器スピーカ３は、実際の楽器としてのバイオリンあるいはチェロを用い、その裏板に電気―機械振動変換器を取り付け、その振動を弦楽器の胴部に伝え、音響振動を発する。上記以外の楽器として、ビオラ、コントラバスを使用してもよい。【選択図】　　　　図１
2004129058.tif 000002
【特許請求の範囲】
【請求項１】
磁極を備えたヨークにより磁気的な空隙を形成し、前記ヨークをケース内にダンパによって支持するとともに前記空隙内にコイルを配置させ、前記ヨークと前記ケースとが相対変位可能である電気−機械振動変換器と、
前記電気−機械振動変換器を弦楽器に取り付けることにより、音響再生を可能とするスピーカと、
前記電気−機械振動変換器に入力されるオーディオ信号が録音された記録媒体とを備えた１以上の前記スピーカによるコンサートシステムであって、
前記電気−機械振動変換器は、前記弦楽器の裏板上に取り付けられていることを特徴とする弦楽器を使用したスピーカによるコンサートシステム。
【請求項２】
前記電気―機械振動変換器は、前記弦楽器の裏板上、魂柱の位置の近傍に取り付けられていることを特徴とする請求項１に記載の弦楽器を使用したスピーカによるコンサートシステム。
【請求項３】
前記弦楽器には、バイオリンとチェロが使用され、前記記録媒体は、左チャンネルにバイオリンの演奏が録音され、右チャンネルにチェロの演奏が録音されるマルチモノラル録音された専用記録媒体であり、該専用記録媒体に録音された前記バイオリンの演奏に相当するオーディオ信号は、前記バイオリンに取り付けられた電気−機械振動変換器に入力され、前記チェロの演奏に相当するオーディオ信号は、前記チェロに取り付けられた電気−機械振動変換器に入力されることを特徴とする請求項１に記載の弦楽器を使用したスピーカによるコンサートシステム。
【請求項４】
前記弦楽器には、第一バイオリンと第二バイオリンとビオラとチェロが使用され、前記記録媒体は、第一バイオリンの演奏と第二バイオリンの演奏とビオラの演奏とチェロの演奏がそれぞれのチャンネルに録音されるマルチモノラル録音された多チャンネルが得られる専用ＤＶＤ記録媒体であり、該専用ＤＶＤ記録媒体に録音された前記第一バイオリンの演奏に相当するオーディオ信号は、前記第一バイオリンに取り付けられた電気−機械振動変換器に入力され、前記第二バイオリンの演奏に相当するオーディオ信号は、前記第二バイオリンに取り付けられた電気−機械振動変換器に入力され、前記ビオラの演奏に相当するオーディオ信号は、前記ビオラに取り付けられた電気−機械振動変換器に入力され、前記チェロの演奏に相当するオーディオ信号は、前記チェロに取り付けられた電気−機械振動変換器に入力されることを特徴とする請求項１に記載の弦楽器を使用したスピーカによるコンサートシステム。
【請求項５】
前記弦楽器には、バイオリンとチェロが使用され、前記記録媒体は、左チャンネルに主として第一バイオリンと第二バイオリンの演奏が録音され、右チャンネルに主としてビオラとチェロの演奏が録音されるステレオ録音された記録媒体であり、該記録媒体に録音された前記第一バイオリンと前記第二バイオリンの演奏に相当するオーディオ信号は、前記バイオリンに取り付けられた電気−機械振動変換器に入力され、前記ビオラと前記チェロの演奏に相当するオーディオ信号は、前記チェロに取り付けられた電気−機械振動変換器に入力されることを特徴とする請求項１に記載の弦楽器を使用したスピーカによるコンサートシステム。
【請求項６】
請求項４に記載の弦楽器を使用したスピーカによるコンサートシステムにおいて、前記左チャンネルに録音されたオーディオ信号の低音域を低域通過フィルタによって取り出し、該低音域のオーディオ信号を前記チェロに取り付けられた電気−機械振動変換器に入力することを特徴とする弦楽器を使用したスピーカによるコンサートシステム。
【発明の詳細な説明】
【０００１】
【発明の属する技術分野】
本発明は、電気−機械振動変換器と弦楽器とを組合せて構成する弦楽器を使用したスピーカによるコンサートシステムに関する。
【０００２】
【従来の技術】
ホテルのロビー、結婚式場、美術館あるいはレストラン等においては、それぞれの場所の雰囲気を高めるため、あるいは来場者の気分を高揚させるためにそれぞれの場所に合わせた音楽が流されていることが多い。この場合、音楽は通常のスピーカシステムによって出力再生されており、中には視覚的演出効果を高めるために流れている音楽で演奏されている楽器を設置することもある。
【０００３】
【発明が解決しようとする課題】
しかしながら、従来の、通常のスピーカシステムによって出力再生される音楽では、楽器そのものが持つ特別な存在感、楽器そのものからその楽器の音が奏でられる深い興味を喚起することができなかった。また、流れている音楽で演奏されている楽器を設置する場合には、ある程度の視覚的演出効果を高めることはできるが、実際にその楽器が演奏されているときに伝わる臨場感を再現することはできなかった。
【０００４】
本発明は上記課題に着目してなされたもので、楽器そのものが持つ特別な存在感、楽器そのものからその楽器の音が奏でられる深い興味を喚起させ、実際にそこでコンサートが行なわれているかのような迫真の臨場感を再現し、高い演出効果を得ることができる弦楽器を使用したスピーカ（以下、楽器スピーカということもある）によるコンサートシステムを提供することを目的とするものである。
【０００５】
【課題を解決するための手段】
上記課題を解決するために、請求項１の弦楽器を使用したスピーカによるコンサートシステムに係る発明は、磁極を備えたヨークにより磁気的な空隙を形成し、前記ヨークをケース内にダンパによって支持するとともに前記空隙内にコイルを配置させ、前記ヨークと前記ケースとが相対変位可能である電気−機械振動変換器と、前記電気−機械振動変換器を弦楽器に取り付けることにより、音響再生を可能とするスピーカと、前記電気−機械振動変換器に入力されるオーディオ信号が録音された記録媒体とを備えた弦楽器を使用したスピーカによるコンサートシステムであって、前記電気−機械振動変換器は、前記弦楽器の裏板上に取り付けられていることを特徴とする。
【０００６】
請求項２に記載の発明では、請求項１に記載の弦楽器を使用したスピーカによるコンサートシステムにおいて、前記電気―機械振動変換器は、前記弦楽器の裏板上、魂柱の位置の近傍に取り付けられていることを特徴とする。
【０００７】
請求項３に記載の発明は、請求項１に記載の弦楽器を使用したスピーカによるコンサートシステムにおいて、前記弦楽器には、バイオリンとチェロが使用され、前記記録媒体は、左チャンネルにバイオリンの演奏が録音され、右チャンネルにチェロの演奏が録音されるマルチモノラル録音された専用記録媒体であり、該専用記録媒体に録音された前記バイオリンの演奏に相当するオーディオ信号は、前記バイオリンに取り付けられた電気−機械振動変換器に入力され、前記チェロの演奏に相当するオーディオ信号は、前記チェロに取り付けられた電気−機械振動変換器に入力されることを特徴とする。
【０００８】
請求項４に記載の発明は、前記弦楽器には、第一バイオリンと第二バイオリンとビオラとチェロが使用され、前記記録媒体は、第一バイオリンの演奏と第二バイオリンの演奏とビオラの演奏とチェロの演奏がそれぞれのチャンネルに録音されるマルチモノラル録音された多チャンネルが得られる専用ＤＶＤ記録媒体であり、該専用ＤＶＤ記録媒体に録音された前記第一バイオリンの演奏に相当するオーディオ信号は、前記第一バイオリンに取り付けられた電気−機械振動変換器に入力され、前記第二バイオリンの演奏に相当するオーディオ信号は、前記第二バイオリンに取り付けられた電気−機械振動変換器に入力され、前記ビオラの演奏に相当するオーディオ信号は、前記ビオラに取り付けられた電気−機械振動変換器に入力され、前記チェロの演奏に相当するオーディオ信号は、前記チェロに取り付けられた電気−機械振動変換器に入力されることを特徴とする。
【０００９】
請求項５に記載の発明は、前記弦楽器には、バイオリンとチェロが使用され、前記記録媒体は、左チャンネルに主として第一バイオリンと第二バイオリンの演奏が録音され、右チャンネルに主としてビオラとチェロの演奏が録音されるステレオ録音された記録媒体であり、該記録媒体に録音された前記第一バイオリンと前記第二バイオリンの演奏に相当するオーディオ信号は、前記バイオリンに取り付けられた電気−機械振動変換器に入力され、前記ビオラと前記チェロの演奏に相当するオーディオ信号は、前記チェロに取り付けられた電気−機械振動変換器に入力されることを特徴とする。
【００１０】
請求項６に記載の発明は、請求項４に記載の弦楽器を使用したスピーカによるコンサートシステムにおいて、前記左チャンネルに録音されたオーディオ信号の低音域を低域通過フィルタによって取り出し、該低音域のオーディオ信号を前記チェロに取り付けられた電気−機械振動変換器に入力することを特徴とする。
【００１１】
本発明によれば、電気−機械振動変換器を実際のバイオリン、チェロ、ビオラ等の弦楽器に取り付け、電気−機械振動変換器にオーディオ信号を入力して振動させることにより、弦楽器の胴部から音響振動を発生させ、聴衆にとって目の前で実際に楽器が演奏されているかのような迫真の臨場感を再現することができる。
以下、弦楽器に電気−機械振動変換器を取り付け、音響再生を可能としたものを楽器スピーカ（例えば、バイオリン楽器スピーカ、チェロ楽器スピーカ）という。なお、本発明でいうメディアとは、オーディオ信号が記録（録音）されているＣＤ、ＤＶＤ等の記録媒体をいう。
【００１２】
【発明の実施の形態】
以下、本発明に係る弦楽器を使用したスピーカによるコンサートシステムの実施形態を図面に基づいて説明する。図１は、そのコンサートシステムの一形態を示す構成図である。この場合は、それぞれに電気−機械振動変換器（後述）が裏板に取り付けられた弦楽器を使用したスピーカによるコンサートシステム１は、楽器スピーカ（この形態では、バイオリン楽器スピーカ２とチェロ楽器スピーカ３から構成される）と、上記電気−機械振動変換器に入力されるオーディオ信号を再生出力するオーディオ部４と、オーディオ信号が記録（録音）されている記録媒体５から概略構成されている。
上記構成において、記録媒体５がオーディオ部４によって再生され、オーディオ部４の左チャンネルＬから出力されたオーディオ信号がバイオリン楽器スピーカ２に取り付けられた電気−機械振動変換器に入力され、オーディオ部４の右チャンネルＲから出力されたオーディオ信号がチェロ楽器スピーカ３に取り付けられた電気−機械振動変換器に入力され、これらのオーディオ信号がバイオリン楽器スピーカ２ａとチェロ楽器スピーカ３ａによって再生される。
【００１３】
次に、本発明のスピーカについて、その音響発生の理由を説明する。
図３は、本発明に使用される電気―機械振動変換器を示したもので、本出願人の発明に係るものである（特願２００２−２５６５８５にその詳細が示されている）。本発明に使用される電気‐機械振動変換器としては、その他のタイプのものでもよい。図３において、電気‐機械振動変換器１０は、上枠２０および下枠４０とからなるケースと、このケースに内装される磁気回路を狭持したダンパ部３０とから概略構成される。
上枠２０は皿形状を有し、その中心部には円形の開口部５０が形成されている。また、外周部にはネジ穴部２０ａ、２０ｂ、２０ｃが形成されている。下枠４０は二段構造からなる略皿形状を有しており、その外周部にはネジ穴部４０ａ、４０ｂ、４０ｃが形成されている。また、下枠４０の底部の中央部には、同心状に配置された径の相違する複数の環状のダンパ６０が下枠４０と一体に形成されている。更に、外周縁の底部からは、ケース内の磁気回路に電気信号を送信するリード線ｌｅが延びている。ダンパ部３０は、複数の環状ダンパ８０ａ、８０ｂ、８０ｃと、磁極を備えたヨーク部９０とからなり、外側の環状ダンパの外周部にはネジ穴部３０ａ、３０ｂ、３０ｃが形成されている。ダンパ部３０は下枠４０内に嵌入されるように内装され、上枠２０によってその上部が覆われる。各ネジ穴部２０ａと３０ａと４０ａ、２０ｂと３０ｂと４０ｂ、２０ｃと３０ｃと４０ｃが同一上の位置に重なるように各部材（上枠２０、ダンパ部３０、下枠４０）が配置され、上枠２０側から挿入されるネジによって固着される。
【００１４】
上記のような電気‐機械振動変換器は図５に示すように、上記下枠４０を上枠２０、ダンパ部３０、下枠４０の固定を兼ねて、実際のバイオリン、チェロの裏板にねじで取り付けられる。
電気―機械振動変換器の具体的な取り付ける位置を以下に説明する。
図４は、バイオリンの構造を説明するものである。周知のように、バイオリン（チェロもビオラやコントラバスと共に弓弦楽器として、いわゆるバイオリン属に含まれる楽器なので、以下、バイオリンを代表として説明する。）は、主として胴部から音を共鳴させて発する。図４に示すように、バイオリンＶは、概略、胴Ａ、棹Ｂ、駒Ｃ、糸巻Ｆと緒止板Ｅとの間に張られる弦Ｄからなる。図４（ａ）（ｂ）に示すように、胴Ａは表板Ａ１、裏板Ａ２、横板Ａ３からなっており、表板Ａ１には弦Ｄを支持する駒Ｃが取り付けられ、その端部を力木Ｇで固定し、他端部を魂柱Ｈで支持している。
【００１５】
電気−機械振動変換器１０は、バイオリンの裏板Ａ２の表側表面に取り付けられるが、その位置は魂柱の近傍に取り付けられる。リード線ｌｅからコイルに電気信号が伝送され、コイルに発生する磁力と磁極の磁力との間に生ずる磁気干渉作用によって、ダンパ８０ａ、８０ｂ、８０ｃを介してケースに支持されたヨーク部９０とケースとが相対変化して振動が発生する。この振動は裏板Ａ２に伝えられ、裏板Ａ２を振動板として、胴Ａがスピーカボックスと同様な作用をなし、音響振動を発生する。なお、図５（ｂ）でチェロには電気‐機械振動変換器が２個取り付けられているが、その取り付け個数は、１個または２個以上でよい。
【００１６】
次に、本発明のコンサートシステムを効率的に動作させるための、音源としてのメディアの作成について説明する。
楽器スピーカの特徴を十分引き出すには、専用ソフトを用いた方がよいが、その作成のためには、図２に示すように、オンマイクによる方法による作成が適している。すなわち、ホールの響き、残響等をあまり録音せずに、楽器の近くにマイクロフォンＭをセットし、楽器の発音部の音をミクサーなどの前置増幅器Ｐ．ＡＭＰを介して録音器Ｒにより録音し、ＣＤなどのメディアで供給する。この場合、「音場」を録音する通常のステレオ録音などとは異なり、完全な「マルチモノラル」録音の形式がよい。例えば、バイオリンとチェロの二重奏の場合、バイオリンは左チャンネルに、チェロは右チャンネルになるように、両楽器の間を音響的に遮断して完全に独立して録音し、それをＣＤや他の媒体に録音する。
【００１７】
このように録音された専用ソフトを使用して、バイオリンの音は「バイオリンに電気‐機械振動変換器を取り付けたスピーカ」で再生し、チェロの音は「チェロに電気‐機械振動変換器を取り付けたスピーカ」で再生する。こうすることにより、バイオリンの音はバイオリンそのものから鳴り、チェロの音はチェロそのものから鳴るので、リスナーにとって音響的にはあたかも目前でバイオリンとチェロの二重奏が行われているいるように感じるものである。
なお、視覚的にはバイオリンやチェロを専用のホルダーにセットして聴衆に見せれば、ディスプレイ効果とあいまってその効果は倍増する。また、ＬＥＤや照明光を音の強弱に合わせて発光させたり、ディスプレイの背景として、相応しい雰囲気の写真や絵を飾ることにより、付加的な演出が可能である。
【００１８】
また、専用ソフトではなく市販のソフトを使用しても、専用ソフトを使用した場合とほぼ同等の効果を得ることが出来る。すなわち、市販のＣＤによる弦楽四重奏は、多くの場合、Ｌチャネルに第１バイオリンと第２バイオリンが録音され、Ｒチャネルにビオラとチェロが配置されるように音場のステレオ録音がなされている。このようなＣＤを本発明のコンサートシステムで再生した場合、Ｌチャネルの「バイオリンによる楽器スピーカ」からは、主として第１バイオリンと第２バイオリンが再生され、Ｒチャネルの「チェロによる楽器スピーカ」からは、主としてビオラとチェロの音がステレオ音場再生されることになり、市販ソフトとの互換性がある。
【００１９】
弦楽四重奏の場合に本発明のコンサートシステムを適用する場合には、上記と同様の手法で、第２バイオリンとビオラを追加すればよい。ただし、録音チャネルが増えるので、録音媒体はＣＤよりも多チャネルが得られるＤＶＤによるのがよい。
【００２０】
本コンサートシステムにより再生する場合、図６に示すような３Ｄシステムを変形して応用してもよい。３Ｄシステムは、Ｌチャネル、Ｒチャネルにはそれぞれ増幅器を介して再生信号が入力されるが、サブウーハに対して両チャネルからの信号を混合回路ＭＩＸを介してローパスフイルタＬＰＦ、増幅器ＳＷＡＭＰが接続されている。
【００２１】
本発明のコンサートシステムで再生する場合、バイオリンによる楽器スピーカの音域として低音領域が不足する場合がある。それを解決するものとして、第７図のようなシステムとするとよい。ここには、第６図に示すものに近いシステムが示されている。この場合、チェロ楽器スピーカ３に取り付けられた２個の電気‐機械振動変換器１０１、１０２のうち、電気‐機械振動変換器１０１はＬチャネルからの信号をローパスフイルタ（低域通過フイルタ）ＬＰＦを介して増幅器ＳＷ．ＡＭＰに接続し、電気‐機械振動変換器１０２はＲチャネルに増幅器を介して接続される。
【００２２】
第８図は第７図のシステムを合理化したものであって、Ｌチャネルの入力をローパスフイルタＬＰＦを介してＲチャネルに接続される前置増幅器ＭＩＸに接続し、チェロ楽器スピーカに接続するものである。
【００２３】
第９図は第８図のシステムにさらにイコライザＥＱ１、ＥＱ２をそれぞれ、Ｌチャネル、Ｒチャネルに接続したものである。このようにすることにより、さらによい音質が得られる
【００２４】
【発明の効果】
本発明に係る実際の弦楽器を使用したスピーカによるコンサートシステムを、ホテルのロビー、結婚式場、美術館、レストラン、その他適宜に設置することにより、高い演出効果を発揮できる。現在の通常のスピーカシステムによる音楽再生はありふれ過ぎていて特別な効果は得られないが、本発明のシステムでは、楽器そのものから音楽が奏でられるので特別な演出効果を可能とする。それは、楽器そのものが持つ特別な存在感、楽器そのものからその楽器の音が奏でられるという、興味の喚起による。そのため、その場でコンサートが行われているかのような、迫真の臨場感を再現し、高い演出効果が得られる。
【図面の簡単な説明】
【図１】本発明に係る弦楽器を使用したコンサートシステムの演奏概念図を示す図である。
【図２】本発明のコンサートシステムに使用される専用ソフトの作成を概念的に示す図である。
【図３】本発明のコンサートシステムに使用されるスピーカに取り付けられる電気−機械振動変換器の一例を示す図である。
【図４】本発明の楽器スピーカとして用いられる従来のバイオリンの構造図であり、（ａ）は外観図、（ｂ）は緒止板の方からみた断面図である。
【図５】電気−機械振動変換器を弦楽器に取り付けた場合を示す図であって、（ａ）はバイオリンの裏板に取り付けた例を示す図であり、（ｂ）はチェロに取り付けた例を示す図である。
【図６】本発明のコンサートシステムを従来の３Ｄシステムで再生する場合の説明図である。
【図７】第７図は第６図のシステムを，本発明のコンサートシステムに応用する場合を示す図である。
【図８】第８図は第７図のものの変形例を示す図である。
【図９】第９図は第８図のものの変形例を示す図である。
【符号の説明】
２　　楽器スピーカとしてのバイオリン
３　　楽器スピーカとしてのチェロ
４　　オーディオ部
５　　専用ソフト
【図１】
2004129058.tif 000003
【図２】
2004129058.tif 000004
【図３】
2004129058.tif 000005
【図４】
2004129058.tif 000006
【図５】
2004129058.tif 000007
【図６】
2004129058.tif 000008
【図７】
2004129058.tif 000009
【図８】
2004129058.tif 000010
【図９】
2004129058.tif 000011